(57)【特許請求の範囲】
【請求項１】
画像を読み取る読取手段と、
前記読取手段が画像の予備読み取りを行った結果に基づいて、前記画像の本読み取りを行う際の読取条件及び本読み取りを行った結果に対する画像処理の処理条件を決定する決定手段と、
前記読取手段が画像の予備読み取りを行った結果に基づいて、前記画像のアスペクト比を判定する判定手段と、
複数の画像の各々に対し前記読取手段によって予備読み取りを順に行わせた後に、前記判定手段によってアスペクト比が非標準と判定された画像があれば、前記非標準アスペクト比の画像について前記読取手段による予備読み取りを再度行わせ、該予備読み取りを再度行った結果に基づき前記決定手段によって前記非標準アスペクト比の画像の読取条件及び画像処理の処理条件を決定させた後に、前記複数の画像の各々に対し前記読取手段によって本読み取りを順に行わせる制御手段と、
を含む画像読取装置。
【請求項２】
前記画像は写真フィルムに記録されたフィルム画像であり、前記読取手段は、写真フィルム上の読取範囲内の各部を透過した光の光量を検出することで前記フィルム画像を読み取ると共に、
前記写真フィルム上のフィルム画像記録範囲外を遮光する遮光手段を更に備え、
前記制御手段は、アスペクト比が非標準と判定されたフィルム画像があった場合には、前記非標準アスペクト比のフィルム画像について前記読取手段による予備読み取りを再度行わせる際に、遮光手段による遮光範囲を前記非標準アスペクト比に対応する範囲に切り替える
ことを特徴とする請求項１記載の画像読取装置。
【請求項３】
読取手段によって画像の予備読み取りを行い、前記予備読み取りを行った結果に基づいて、前記画像の本読み取りを行う際の読取条件及び本読み取りを行った結果に対する画像処理の処理条件を決定し、前記画像の本読み取りを行う画像読取方法であって、
複数の画像の各々に対し予備読み取りを順に行うと共に、予備読み取りを行った結果に基づいて各画像のアスペクト比を各々判定し、アスペクト比が非標準と判定した画像があれば該非標準アスペクト比の画像の予備読み取りを再度行い、該予備読み取りを再度行った結果に基づき前記非標準アスペクト比の画像の読取条件及び画像処理の処理条件を決定した後に、
前記複数の画像の各々に対し本読み取りを順に行う
ことを特徴とする画像読取方法。
【発明の詳細な説明】
【０００１】
【発明の属する技術分野】
本発明は画像読取装置及び方法に係り、特に、画像の予備読み取りを行い、読取条件及び画像処理条件の少なくとも一方を決定した後に画像の本読み取りを行う画像読取方法、及び該画像読取方法を適用可能な画像読取装置に関する。
【０００２】
【従来の技術】
従来より、写真フィルムに記録されているフィルム画像を、ＣＣＤ等の読取センサを備えた画像読取装置によって読み取り、該読み取りによって得られた画像データに対して各種の補正等の画像処理を行った後に、記録材料への画像の記録やディスプレイへの画像の表示等を行う画像処理システムが知られている。また、フィルム画像（特にネガフィルムに記録されたネガ画像）は濃度のばらつきが大きいので、所望の画質の記録画像や表示画像を得るために、画像読取装置ではフィルム画像を予備的に読み取り（所謂プレスキャン）、フィルム画像の濃度等に応じた読取条件（例えばフィルム画像に照射する光の光量やＣＣＤの電荷蓄積時間等）を決定し、決定した読取条件でフィルム画像を読み取っていた（所謂ファインスキャン）。
【０００３】
【発明が解決しようとする課題】
ところで、１３５サイズの写真フィルムには、例えばパノラマサイズやハイビジョンサイズ等のように、標準サイズとアスペクト比の異なるサイズのフィルム画像が混在記録されていることがある。１３５サイズの写真フィルムのフィルム画像を読み取る場合の読取センサによる画像読取範囲は、画像記録範囲の面積が最大である標準サイズのフィルム画像の記録範囲に対応した大きさとされるが、非標準アスペクト比のフィルム画像が記録されている箇所では、標準サイズのフィルム画像の記録範囲に相当する領域（すなわち画像読取範囲）の一部が素抜け部になっている。
【０００４】
従って、非標準アスペクト比のフィルム画像の読取時に、前記素抜け部を透過した光によって読取センサで飽和が生じる（例えば読取センサがＣＣＤであれば蓄積電荷の飽和が生ずる）ので、非標準アスペクト比のフィルム画像を精度良く読み取ることは困難であった。また、読取センサで飽和が生ずることを防止するために、素抜け部からの光によって飽和が生じないように、フィルム画像のアスペクト比に拘らず予め読取条件を調整したとすると、読取時にフィルム画像が記録されている部分からの光の光量が不足するので、フィルム画像を精度良く読み取ることは困難であった。
【０００５】
また、読取センサよりも写真フィルム搬送方向の上流側に、フィルム画像のアスペクト比判定用のセンサを設けておき、該センサの検出結果に基づいてフィルム画像のアスペクト比を予め判定し、フィルム画像記録範囲外を遮光するマスクによる遮光範囲を切り替えることも考えられるが、アスペクト比を高精度に判定するには時間がかかるので、読取センサでフィルム画像を読み取る時迄に該フィルム画像に対するアスペクト比の判定を完了させるためには、アスペクト比判定用のセンサと読取センサとの距離を大きくする必要がある。従って、装置が大型化すると共に、単位時間当りのフィルム画像の読取速度を更に高速化しようとすると、フィルム画像のアスペクト比の判定が読み取りの開始迄に間に合わなくなることも考えられる。
【０００６】
本発明は上記事実を考慮して成されたもので、読取対象の画像にアスペクト比の異なる画像が混在していたとしても、各画像を精度良く読み取ることができる画像読取装置及び方法を得ることが目的である。
【０００７】
【課題を解決するための手段】
上記目的を達成するために請求項１記載の発明に係る画像読取装置は、画像を読み取る読取手段と、前記読取手段が画像の予備読み取りを行った結果に基づいて、前記画像の本読み取りを行う際の読取条件、及び本読み取りを行った結果に対する画像処理の処理条件を決定する決定手段と、前記読取手段が画像の予備読み取りを行った結果に基づいて、前記画像のアスペクト比を判定する判定手段と、複数の画像の各々に対し前記読取手段によって予備読み取りを順に行わせた後に、前記判定手段によってアスペクト比が非標準と判定された画像があれば、前記非標準アスペクト比の画像について前記読取手段による予備読み取りを再度行わせ、該予備読み取りを再度行った結果に基づき前記決定手段によって前記非標準アスペクト比の画像の読取条件及び画像処理の処理条件を決定させた後に、前記複数の画像の各々に対し前記読取手段によって本読み取りを順に行わせる制御手段と、を含んで構成している。
【０００８】
請求項１記載の発明では、読取手段が画像の予備読み取りを行った結果に基づき、決定手段は、画像の本読み取りを行う際の読取条件、及び本読み取りを行った結果に対する画像処理の処理条件を決定する。なお、画像の本読み取りを行う際の読取条件を決定し、決定した読取条件に従って画像の本読み取りを行えば、画像の本読み取りを、個々の画像の特徴量（例えば画像濃度等）に応じて高精度に行うことができる。また、画像の本読み取りを行った結果に対する画像処理の処理条件の決定には時間がかかることが一般的であるが、画像の予備読み取りを行った結果に基づいて処理条件を決定すれば、画像の本読み取りを行った結果に対する画像処理を短時間で完了させることができる。
【０００９】
また請求項１の発明では、読取手段が画像の予備読み取りを行った結果に基づいて画像のアスペクト比を判定する判定手段が設けられており、制御手段は、複数の画像の各々に対し読取手段によって予備読み取りを順に行わせた後に、アスペクト比が非標準と判定された画像があれば、非標準アスペクト比の画像について読取手段による予備読み取りを再度行わせる。この非標準アスペクト比の画像に対する再度の予備読み取りでは、読取対象の画像のアスペクト比が既に判定されているので、読取対象の画像のアスペクト比に応じた読み取りを行うことができる。
【００１０】
従って、読取対象である複数の画像の中に非標準アスペクト比の画像が混在していた場合にも、非標準アスペクト比の画像を含む複数の画像の各々を精度良く読み取ることができ、各画像の本読み取りを行う際の読取条件、及び本読み取りを行った結果に対する画像処理の処理条件を各々高精度に決定することができる。
【００１１】
また、請求項１の発明では、複数の画像の各々に対して予備読み取りを行う際には、各画像のアスペクト比と無関係に読み取りを行い、予備読み取りを行った結果に基づいてアスペクト比を判定するので、アスペクト比検出用のセンサを設ける必要がなくなると共に、複数の画像の各々に対する予備読み取りを高速で行うことができる。
【００１２】
なお、読取対象画像が写真フィルムに記録されたフィルム画像であり、読取手段が、写真フィルム上の読取範囲内の各部を透過した光の光量を検出することでフィルム画像を読み取る構成である場合には、請求項２に記載したように、写真フィルム上のフィルム画像記録範囲外を遮光する遮光手段を設け、制御手段は、アスペクト比が非標準と判定されたフィルム画像があった場合には、非標準アスペクト比のフィルム画像について読取手段による予備読み取りを再度行わせる際に、遮光手段による遮光範囲を非標準アスペクト比に対応する範囲に切り替えることが好ましい。
【００１３】
これにより、標準アスペクト比のフィルム画像では画像記録範囲内となり、非標準アスペクト比のフィルム画像では画像記録範囲外となる部分、すなわち素抜け部を透過した光が読取手段に入射されることが阻止されるので、非標準アスペクト比のフィルム画像について予備読み取りを再度行う際に、前記素抜け部を透過した光の光量の影響を受けることなく読取条件を定めることができる。従って非標準アスペクト比のフィルム画像についての再度の予備読み取りを、より精度良く行うことができる。
【００１４】
請求項３記載の発明に係る画像読取方法は、読取手段によって画像の予備読み取りを行い、前記予備読み取りを行った結果に基づいて、前記画像の本読み取りを行う際の読取条件及び本読み取りを行った結果に対する画像処理の処理条件を決定し、前記画像の本読み取りを行う画像読取方法であって、複数の画像の各々に対し予備読み取りを順に行うと共に、予備読み取りを行った結果に基づいて各画像のアスペクト比を各々判定し、アスペクト比が非標準と判定した画像があれば該非標準アスペクト比の画像の予備読み取りを再度行い、該予備読み取りを再度行った結果に基づき前記非標準アスペクト比の画像の読取条件及び画像処理の処理条件を決定した後に、前記複数の画像の各々に対し本読み取りを順に行うことを特徴としているので、請求項１の発明と同様に、読取対象の画像にアスペクト比の異なる画像が混在していたとしても、各画像を精度良く読み取ることができる。
【００１５】
【発明の実施の形態】
以下、図面を参照して本発明の実施形態について詳細に説明する。なお、以下では、まず本実施形態に係るディジタルラボシステムについて説明する。
【００１６】
（システム全体の概略構成）
図１には本実施形態に係るディジタルラボシステム１０が示されている。このラボシステム１０は、エリアＣＣＤスキャナ１２、ラインＣＣＤスキャナ１４、及び画像処理部１６を備えた入力部と、レーザプリンタ部１８及びプロセッサ部２０を備えた出力部と、で構成されている。なお、エリアＣＣＤスキャナ１２及びラインＣＣＤスキャナ１４は本発明の読取手段に対応している。
【００１７】
エリアＣＣＤスキャナ１２及びラインＣＣＤスキャナ１４は、ネガフィルムやリバーサルフィルム等の写真フィルムに記録されているフィルム画像を読み取るためのものであり、例えばエリアＣＣＤスキャナ１２は１３５サイズの写真フィルム、１１０サイズの写真フィルム、及び透明な磁気層が形成された写真フィルム（２４０サイズの写真フィルム：所謂ＡＰＳフィルム）のフィルム画像を読取対象とし、ラインＣＣＤスキャナ１４は１２０サイズ及び２２０サイズ（ブローニサイズ）の写真フィルムのフィルム画像を読取対象とすることができる。
【００１８】
エリアＣＣＤスキャナ１２及びラインＣＣＤスキャナ１４は、上記の読取対象のフィルム画像をエリアＣＣＤ又はラインＣＣＤで読み取り、画像データを出力する。なお、ディジタルラボシステム１０は、必ずしもエリアＣＣＤスキャナ１２及びラインＣＣＤスキャナ１４の両方を備えている必要はなく、例えばフィルム画像の読み取りを行う写真フィルムのサイズが限られている場合は、エリアＣＣＤスキャナ１２及びラインＣＣＤスキャナ１４の何れか一方（例えばエリアＣＣＤスキャナ１２）のみを設けることも可能である。
【００１９】
画像処理部１６は、エリアＣＣＤスキャナ１２やラインＣＣＤスキャナ１４から出力された画像データ（スキャン画像データ）が入力されると共に、デジタルカメラでの撮影によって得られた画像データ、フィルム画像以外の原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００２０】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能とされている。
【００２１】
レーザプリンタ部１８はＲ、Ｇ、Ｂのレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００２２】
（エリアＣＣＤスキャナの構成）
次にエリアＣＣＤスキャナ１２の構成について説明する。図２にはエリアＣＣＤスキャナ１２の光学系の概略構成が示されている。この光学系は、ハロゲンランプやメタルハライドランプ等から成り写真フィルム２２に光を照射する光源３０を備えており、光源３０の光射出側には、写真フィルム２２に照射する光の光量を調節するための絞り３２、色分解フィルタユニット３４、写真フィルム２２に照射する光を拡散光とする光拡散ボックス３６が順に配置されている。色分解フィルタユニット３４は、Ｒ、Ｇ、Ｂの色分解フィルタ３４Ｒ、３４Ｇ、３４Ｂが、図２矢印Ａ方向に沿って回転可能とされたターレット３４Ａに嵌め込まれて構成されている。
【００２３】
写真フィルム２２は、フィルムキャリア３８（図５参照、図２では図示省略）によってフィルム画像の画面中心が光軸Ｌに一致するように位置決めされる。なお、図２では長尺状の写真フィルム２２を示しているが、１コマ毎にスライド用のホルダに保持されたスライドフィルム（リバーサルフィルム）やＡＰＳフィルムについては、各々専用のフィルムキャリアが用意されており（ＡＰＳフィルム用のフィルムキャリアは磁気層に磁気記録された情報を読み取る磁気ヘッドを有している）、これらの写真フィルムのフィルム画像を位置決めすることも可能とされている。
【００２４】
写真フィルム２２を挟んで光源３０と反対側には、光軸Ｌに沿って、フィルム画像を透過した光を結像させるレンズユニット４０、エリアＣＣＤ４２が順に配置されている。図２ではレンズユニット４０として単一のレンズのみを示しているが、レンズユニット４０は、実際には複数枚のレンズから構成されたズームレンズである。エリアＣＣＤ４２は多数のＣＣＤセルがマトリックス状に配列されたモノクロのＣＣＤであり、受光面がレンズユニット４０の結像点位置に一致するように配置されている。
【００２５】
また、エリアＣＣＤ４２にはピエゾアクチュエータ４４Ｘ、４４Ｙが取付けられている。ピエゾアクチュエータは電圧を加えると歪んで変位を発生するものであり、ピエゾアクチュエータ４４Ｘ、４４Ｙは、変位の発生方向がエリアＣＣＤ４２の画素の配列方向（図２の矢印Ｘ方向及び矢印Ｙ方向）に沿うように配置されている。また、図示は省略するが、エリアＣＣＤ４２とレンズユニット４０との間にはシャッタが設けられている。
【００２６】
図３にはエリアＣＣＤスキャナ１２の電気系の概略構成が示されている。コントロール基板には、エリアＣＣＤスキャナ１２全体の制御を司るマイクロプロセッサ４６が搭載されている。マイクロプロセッサ４６にはモータドライバ４８が接続されており、モータドライバ４８には、絞り３２をスライド移動させる絞り駆動モータ５０、色分解フィルタユニット３４のターレット３４Ａを回転させるフィルタ駆動モータ５４が接続されている。
【００２７】
マイクロプロセッサ４６は、図示しない電源スイッチのオンオフに連動して光源３０を点消灯させる。また、マイクロプロセッサ４６は、エリアＣＣＤ４２によるフィルム画像の読み取り（測光）を行う際に、フィルタ駆動モータ５４によってターレット３４Ａを回転させる。従ってフィルム画像は、エリアＣＣＤ４２により各成分色毎に順に読み取られることになる。またマイクロプロセッサ４６は、絞り駆動モータ５０により絞り３２をスライド移動させ、エリアＣＣＤ４２に入射される光量を調節する。
【００２８】
また、マイクロプロセッサ４６にはピエゾドライバ６０を介してピエゾアクチュエータ４４Ｘ、４４Ｙが接続されている。マイクロプロセッサ４６は、単一のフィルム画像に対し、エリアＣＣＤ４２によって各成分色毎に各々４回読み取りを行わせると共に、各回の読み取りにおいて、ピエゾアクチュエータ４４Ｘ、４４Ｙにより、エリアＣＣＤ４２の位置を図２のＸ方向又はＹ方向に移動させる。
【００２９】
また、マイクロプロセッサ４６にはバス６２を介してＲＡＭ６４（例えばＳＲＡＭ）、ＲＯＭ６６（例えば記憶内容を書換え可能なＲＯＭ）が接続されていると共に、モータドライバ６８が接続されている。モータドライバ６８には、レンズユニット４０の複数枚のレンズの位置を相対的に移動させることでレンズユニット４０のズーム倍率を変更するズーム駆動モータ７０、レンズユニット４０全体を移動させることでレンズユニット４０の結像点位置を光軸Ｌに沿って移動させるレンズ駆動モータ１０６が接続されている。マイクロプロセッサ４６は、フィルム画像のサイズやトリミングを行うか否か等に応じて、ズーム駆動モータ７０によってレンズユニット４０のズーム倍率を所望の倍率に変更する。
【００３０】
一方、エリアＣＣＤ４２は、タイミングジェネレータ７４と共にＣＣＤ基板に搭載されている。タイミングジェネレータ７４は、エリアＣＣＤ４２や後述するＡ／Ｄ変換器８２等を動作させるための各種のタイミング信号（クロック信号）を発生する。
【００３１】
エリアＣＣＤ４２の信号出力端は、ＣＣＤ基板に搭載された増幅器７６、コントロール基板に搭載された増幅器７８、８０を介してＡ／Ｄ変換器８２に接続されている。Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００３２】
また、モータドライバ６８には、シャッタを開閉させるシャッタ駆動モータ９２が接続されている。エリアＣＣＤ４２の暗出力については、後段の画像処理部１６で補正されるが、暗出力レベルは、フィルム画像の読み取りを行っていないときに、マイクロプロセッサ４６がシャッタを閉止させることで得ることができる。
【００３３】
（ラインＣＣＤスキャナの構成）
次にラインＣＣＤスキャナ１４の構成について説明する。なお、エリアＣＣＤスキャナ１２と同一の部分には同一の符号を付して説明を省略し、エリアＣＣＤスキャナ１２と異なる部分についてのみ説明する。
【００３４】
図４にはラインＣＣＤスキャナ１４の光学系の概略構成が示されている。この光学系は、光源３０と光拡散ボックス３６との間に、絞り３２及び色分解フィルタユニット３４に代えて、Ｃ（シアン）、Ｍ（マゼンダ）、Ｙ（イエロー）の調光フィルタ１１４Ｃ、１１４Ｍ、１１４Ｙが射出光の光軸Ｌに沿って順に設けられており、エリアＣＣＤ４２に代えてラインＣＣＤ１１６が設けられている。本実施形態では、ラインＣＣＤ１１６として、ＣＣＤセルがライン状に配列されて成るＣＣＤセル列が３ライン設けられ、各ラインの光入射側にＲ、Ｇ、Ｂの色分解フィルタの何れかが各々取付けられた３ラインカラーＣＣＤを用いている。
【００３５】
ラインＣＣＤスキャナ１４の電気系の構成については図示を省略するが、フィルタ駆動モータ５４は、調光フィルタ１１４Ｃ、１１４Ｍ、１１４Ｙを各々独立に移動可能とされている。また、ラインＣＣＤ１１６からはＲ、Ｇ、Ｂの測光信号が並列に出力されるので、図３に示した増幅器７６、７８、８０、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００３６】
（画像処理部の構成）
次に画像処理部１６の構成について図５を参照して説明する。画像処理部１６は、エリアＣＣＤスキャナ１２に対応してエリアスキャナ補正部１２０が設けられていると共に、ラインＣＣＤスキャナ１４に対応してラインスキャナ補正部１２２が設けられている。
【００３７】
エリアスキャナ補正部１２０は、暗補正回路１２４、欠陥画素補正部１２８、明補正回路１３０を備えている。暗補正回路１２４は、エリアＣＣＤ４２の光入射側がシャッタにより遮光されている状態で、エリアＣＣＤスキャナ１２から入力された画像データ（エリアＣＣＤ４２の暗出力レベルを表すデータ）を各画素毎に記憶しておき、エリアＣＣＤスキャナ１２から入力されたスキャン画像データから各画素毎に前記暗出力レベルを減ずることによって補正する。
【００３８】
また、エリアＣＣＤ４２の光電変換特性は各ＣＣＤセル単位でのばらつきもある。欠陥画素補正部１２８の後段の明補正回路１３０では、エリアＣＣＤスキャナ１２に画面全体が一定濃度の調整用のフィルム画像がセットされている状態で、エリアＣＣＤ４２で前記調整用のフィルム画像を読み取ることによりエリアＣＣＤスキャナ１２から入力された調整用のフィルム画像の画像データ（この画像データが表す各画素毎の濃度のばらつきは各ＣＣＤセルの光電変換特性のばらつきに起因する）に基づいて各画素毎にゲインを定めておき、エリアＣＣＤスキャナ１２から入力された読取対象のフィルム画像の画像データを各画素毎に補正する。
【００３９】
一方、調整用のフィルム画像の画像データにおいて、特定の画素の濃度が他の画素の濃度と大きく異なっていた場合には、前記特定の画素に対応するＣＣＤセルには何らかの異常があり、前記特定の画素は欠陥画素と判断できる。欠陥画素補正部１２８は調整用のフィルム画像の画像データに基づき欠陥画素のアドレスを記憶しておき、エリアＣＣＤスキャナ１２から入力された読取対象のフィルム画像の画像データのうち、欠陥画素のデータについては周囲の画素のデータから補間してデータを新たに生成する。
【００４０】
ラインスキャナ補正部１２２は、上記の暗補正回路１２４、濃度変換部１２６、欠陥画素補正部１２８、明補正回路１３０から成る信号処理系が３系統設けられており、ラインＣＣＤスキャナ１４から並列に出力されるＲ、Ｇ、Ｂの画像データを並列に処理する。また、ラインＣＣＤ１１６は３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２は、フィルム画像上で同一の画素のＲ、Ｇ、Ｂの画像データが同時に出力されるように、各成分色毎に異なる遅延時間で画像データの出力タイミングの遅延を行う。
【００４１】
エリアスキャナ補正部１２０及びラインスキャナ補正部１２２の出力端はセレクタ１３２の入力端に接続されており、補正部１２０、１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００４２】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々単一のフィルム画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００４３】
イメージプロセッサ１４０は、フレームメモリ１４２に記憶された画像データを取込み、階調変換、色変換、画像の超低周波明るさ成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００４４】
ところで、本実施形態では個々のフィルム画像に対し、エリアＣＣＤスキャナ１２又はラインＣＣＤスキャナ１４において読み取りを２回行う。１回目の読み取り（以下、プレスキャンという）では、フィルム画像の濃度が極端に低い場合（例えばネガフィルムにおける露光オーバのネガ画像）にも、エリアＣＣＤ４２又はラインＣＣＤ１１６で蓄積電荷の飽和が生じないように決定した読取条件（写真フィルムに照射する光のＲ、Ｇ、Ｂの各波長域毎の光量、ＣＣＤの電荷蓄積時間）でフィルム画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００４５】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００４６】
オートセットアップエンジン１４４は、入出力コントローラ１３４から入力された複数コマ分のフィルム画像のプレスキャン画像データに基づいて、ファインスキャンによって得られた画像データ（ファインスキャン画像データ）に対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のフィルム画像が有るか否か判定し、類似のシーンを撮影した複数のフィルム画像が有った場合には、これらのフィルム画像のファインスキャン画像データに対する画像処理の処理条件が同一又は近似するように決定する。
【００４７】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００４８】
更に、オートセットアップエンジン１４４は、入出力コントローラ１３４から入力されたフィルム画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。
【００４９】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００５０】
パーソナルコンピュータ１５８は、ＣＰＵ１６０、メモリ１６２、ディスプレイ１６４、キーボード１６６、ハードディスク１６８、ＣＤ−ＲＯＭドライバ１７０、搬送制御部１７２、拡張スロット１７４、画像圧縮／伸長部１７６を備えており、これらがバス１７８を介して互いに接続されて構成されている。搬送制御部１７２はフィルムキャリア３８に接続されており、フィルムキャリア３８による写真フィルム２２の搬送を制御する。また、フィルムキャリア３８にＡＰＳフィルムがセットされた場合には、フィルムキャリア３８がＡＰＳフィルムの磁気層から読み取った情報（例えば画像記録サイズ等）が入力される。
【００５１】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００５２】
なお、画像処理部１６は、プレスキャン画像データ等をパーソナルコンピュータ１５８に出力し、エリアＣＣＤスキャナ１２やラインＣＣＤスキャナ１４で読み取られたフィルム画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００５３】
（レーザプリンタ部及びプロセッサ部の構成）
次にレーザプリンタ部１８及びプロセッサ部２０の構成について説明する。図６には、レーザプリンタ部１８の露光部の光学系の構成が示されている。レーザプリンタ部１８は、レーザ光源２１０Ｒ、２１０Ｇ、２１０Ｂの３個のレーザ光源を備えている。レーザ光源２１０ＲはＲの波長のレーザ光を射出する半導体レーザ（ＬＤ）で構成されている。また、レーザ光源２１０Ｇは、ＬＤと、該ＬＤから射出されたレーザ光を１／２の波長のレーザ光に変換する波長変換素子（ＳＨＧ）から構成されており、ＳＨＧからＧの波長のレーザ光が射出されるようにＬＤの発振波長が定められている。同様に、レーザ光源２１０ＢもＬＤとＳＨＧから構成されており、ＳＨＧからＢの波長のレーザ光が射出されるようにＬＤの発振波長が定められている。
【００５４】
レーザ光源２１０Ｒ、２１０Ｇ、２１０Ｂのレーザ光射出側には、各々コリメータレンズ２１２、音響光学光変調素子（ＡＯＭ）２１４が順に配置されている。ＡＯＭ２１４は、入射されたレーザ光が音響光学媒質を透過するように配置されていると共に、ＡＯＭドライバ２１６（図７参照）に接続されており、ＡＯＭドライバ２１６から高周波信号が入力されると、音響光学媒質内を前記高周波信号に応じた超音波が伝搬し、音響光学媒質を透過するレーザ光に音響光学効果が作用して回折が生じ、前記高周波信号の振幅に応じた強度のレーザ光がＡＯＭ２１４から回折光として射出される。
【００５５】
ＡＯＭ２１４の回折光射出側にはポリゴンミラー２１８が配置されており、各ＡＯＭ２１４から回折光として各々射出されたＲ、Ｇ、Ｂの波長の３本のレーザ光は、ポリゴンミラー２１８の反射面上の略同一の位置に照射され、ポリゴンミラー２１８で反射される。ポリゴンミラー２１８のレーザ光射出側にはｆθレンズ２２０、平面ミラー２２２が配置されており、ポリゴンミラー２１８で反射された３本のレーザ光はｆθレンズ２２０を透過し、平面ミラー２２２で反射されて印画紙２２４に照射される。
【００５６】
図７にはレーザプリンタ部１８及びプロセッサ部２０の電気系の概略構成が示されている。レーザプリンタ部１８は画像データを記憶するフレームメモリ２３０を備えている。フレームメモリ２３０はＩ／Ｆ回路２３２を介して画像処理部１６に接続されており、画像処理部１６から入力された記録用画像データ（印画紙２２４に記録すべき画像の各画素毎のＲ、Ｇ、Ｂ濃度を表す画像データ）はＩ／Ｆ回路２３２を介してフレームメモリ２３０に一旦記憶される。フレームメモリ２３０はＤ／Ａ変換器２３４を介して露光部２３６に接続されていると共に、プリンタ部制御回路２３８に接続されている。
【００５７】
露光部２３６は、前述のようにＬＤ（及びＳＨＧ）から成るレーザ光源２１０を３個備えていると共に、ＡＯＭ２１４及びＡＯＭドライバ２１６も３系統備えており、ポリゴンミラー２１８、ポリゴンミラー２１８を回転させるモータを備えた主走査ユニット２４０が設けられている。露光部２３６はプリンタ部制御回路２３８に接続されており、プリンタ部制御回路２３８によって各部の動作が制御される。
【００５８】
印画紙２２４への画像の記録を行う場合、プリンタ部制御回路２３８は、記録用画像データが表す画像を走査露光によって印画紙２２４に記録するために、画像処理部１６から入力された画像記録用パラメータに基づき、記録用画像データに対して各種の補正を行って走査露光用画像データを生成し、フレームメモリ２３０に記憶させる。そして、露光部２３６のポリゴンミラー２１８を回転させ、レーザ光源２１０Ｒ、２１０Ｇ、２１０Ｂからレーザ光を射出させると共に、生成した走査露光用画像データをフレームメモリ２３０からＤ／Ａ変換器２３４を介して露光部２３６へ出力させる。これにより、走査露光用画像データがアナログ信号に変換されて露光部２３６に入力される。
【００５９】
ＡＯＭドライバ２１６は、入力されたアナログ信号のレベルに応じてＡＯＭ２１４に供給する超音波信号の振幅を変化させ、ＡＯＭ２１４から回折光として射出されるレーザ光の強度をアナログ信号のレベル（すなわち、印画紙２２４に記録すべき画像の各画素のＲ濃度及びＧ濃度及びＢ濃度の何れか）に応じて変調する。従って、３個のＡＯＭ２１４からは印画紙２２４に記録すべき画像のＲ、Ｇ、Ｂ濃度に応じて強度変調されたＲ、Ｇ、Ｂのレーザ光が射出され、これらのレーザ光はポリゴンミラー２１８、ｆθレンズ２２０、ミラー２２２を介して印画紙２２４に照射される。
【００６０】
そして、ポリゴンミラー２１８の回転に伴って各レーザ光の照射位置が図６矢印Ｂ方向に沿って走査されることにより主走査が成され、印画紙２２４が図６矢印Ｃ方向に沿って一定速度で搬送されることによりレーザ光の副走査が成され、走査露光によって印画紙２２４に画像が記録される。走査露光によって画像が記録された印画紙２２４はプロセッサ部２０へ送り込まれる。
【００６１】
プリンタ部制御回路２３８にはプリンタ部ドライバ２４２が接続されており、プリンタ部ドライバ２４２には、露光部２３６に対して送風するファン２４４、レーザプリンタ部に装填されたマガジンに収納されている印画紙をマガジンから引き出すためのマガジンモータ２４６が接続されている。また、プリンタ部制御回路２３８には、印画紙２２４の裏面に文字等をプリントするバックプリント部２４８が接続されている。これらのファン２４４、マガジンモータ２４６、バックプリント部２４８はプリンタ部制御回路２３８によって作動が制御される。
【００６２】
また、プリンタ部制御回路２３８には、未露光の印画紙２２４が収納されるマガジンの着脱及びマガジンに収納されている印画紙のサイズを検出するマガジンセンサ２５０、オペレータが各種の指示を入力するための操作盤２５２、プロセッサ部２０で現像等の処理が行われて可視化された画像の濃度を測定する濃度計２５４、プロセッサ部２０のプロセッサ部制御回路２５６が接続されている。
プロセッサ部制御回路２５６には、プロセッサ部２０の機体内の印画紙搬送経路を搬送される印画紙２２４の通過の検出や、処理槽内に貯留されている各種の処理液の液面位置の検出等を行う各種センサ２５８が接続されている。
【００６３】
また、プロセッサ部制御回路２５６には、現像等の処理が完了して機体外に排出された印画紙を所定のグループ毎に仕分けするソータ２６０、処理槽内に補充液を補充する補充システム２６２、ローラ等の洗浄を行う自動洗浄システム２６４が接続されていると共に、プロセッサ部ドライバ２６６を介して、各種ポンプ／ソレノイド２６８が接続されている。これらのソータ２６０、補充システム２６２、自動洗浄システム２６４、及び各種ポンプ／ソレノイド２６８はプロセッサ部制御回路２５６によって作動が制御される。
【００６４】
（フィルムキャリアの構成）
次に図８を参照し、１３５サイズの写真フィルム用のフィルムキャリア３８の構成について説明する。なお、図８は、フィルムキャリア３８がラインＣＣＤスキャナ１４にセットされた状態を示している（但し図８では、調光フィルタ１１４Ｃ、１１４Ｍ、１１４Ｙや光拡散ボックス３６等の図示は省略している）。
【００６５】
フィルムキャリア３８は、光源３０からの射出光の光軸Ｌを中心として両側に各々配置された搬送ローラ対２８０、２８２を備えている。搬送ローラ対２８０、２８２は各々モータ２８４、２８６の駆動力が伝達されて回転され、この搬送ローラ対２８０、２８２の回転に伴い、搬送ローラ対２８０、２８２に挟持された写真フィルム２２は光軸Ｌを横切って搬送される。モータ２８４、２８６はドライバ２８８、２９０を介して搬送制御部１７２（図５も参照）に接続されている。
【００６６】
また、写真フィルム２２の搬送路と光軸Ｌとが交差する位置には、光源３０から射出され写真フィルム２２の画像記録範囲外を透過する光を遮光すると共に、遮光範囲を変更可能なマスク２９２が配置されている。１３５サイズの写真フィルム２２には写真フィルム２２の長手方向に沿って順にフィルム画像が記録されるが、このフィルム画像のフレームサイズには、図９（Ａ）に示すように標準サイズ（フィルム画像２２Ａ参照：標準アスペクト比のフィルム画像）と、該標準サイズと異なるアスペクト比のパノラマサイズ（フィルム画像２２Ｂ参照：非標準アスペクト比のフィルム画像）と、があり、標準サイズとパノラマサイズは写真フィルム２２の長手方向に沿った長さは同一である、幅方向に沿った長さが相違している。
【００６７】
このためマスク２９２は、図９（Ｂ）及び（Ｃ）に示すように、写真フィルム２２を幅方向に沿って横切るように配設された遮光板２９２Ａが、所定の間隔を空けて一対設けられており、一対の遮光板２９２Ａの間には、写真フィルム２２の幅方向に沿ってスライド移動可能とされた一対の遮光板２９２Ｂが設けられている。マスク２９２はマスクドライバ２９４に接続されており、マスクドライバ２９４によって、遮光板２９２Ｂが図９（Ｂ）に示す位置（マスク２９２による遮光範囲が標準サイズのフィルム画像２２Ａに対応する範囲となる位置）、又は図９（Ｃ）に示す位置（マスク２９２による遮光範囲がパノラマサイズのフィルム画像２２Ｂに対応する範囲となる位置）に移動される。なお、マスク２９２は請求項２に記載の遮光手段に対応している。
【００６８】
マスクドライバ２９４は搬送制御部１７２に接続されており、搬送制御部１７２からの指示に応じてマスク２９２による遮光範囲を切替える。
【００６９】
（作用）
次に本実施形態の作用として、１３５サイズの写真フィルムに記録されたフィルム画像の読み取りを行う際に画像処理部１６のオートセットアップエンジン１４４で実行される１３５サイズフィルム画像読取処理について、図１０のフローチャートを参照して説明する。なお、以下では、１３５サイズの写真フィルムをラインＣＣＤスキャナ１４で読み取る場合を例に説明する。
【００７０】
ステップ４００では、フィルム画像に対してプレスキャンを行う際の読取条件をラインＣＣＤスキャナ１４に対して通知した後に、ラインＣＣＤスキャナ１４及びフィルムキャリア３８に対し、写真フィルム２２に記録されたフィルム画像に対するプレスキャンの実行を指示する。
【００７１】
これにより、図１１（Ａ）乃至（Ｃ）にも示すように、フィルムキャリア３８は写真フィルム２２をプレスキャンに適した一定の搬送速度で所定方向（以下、便宜的に往路方向という）に搬送する。なお、このときのマスク２９２による遮光範囲は、標準サイズのフィルム画像２２Ａに対応する範囲（図９（Ｂ）参照）とされている。また、ラインＣＣＤスキャナ１４では通知された読取条件に従って、ラインＣＣＤ１１６により往路方向先頭側から順にフィルム画像を読み取り（往路方向先頭側から順に１，２，…，ｎのコマ番号を各フィルム画像に付したとすると、コマ番号１，２，…，ｎの順に読み取る）、得られた画像データをプレスキャン画像データとして画像処理部１６に出力する。
【００７２】
ステップ４０２では、プレスキャン画像データが入力されたか否か判定する。前記判定が否定された場合にはステップ４０４へ移行し、１本の写真フィルムに記録されている全てのフィルム画像のプレスキャン画像データが入力されたか否か判定する。この判定も否定された場合にはステップ４０２に戻り、ステップ４０２、４０４の判定を繰り返す。
【００７３】
プレスキャン画像データが入力されるとステップ４０２の判定が肯定されてステップ４０６へ移行し、入力されたプレスキャン画像データに基づいて、該プレスキャン画像データが表すフィルム画像のサイズ（アスペクト比）を判定する。このサイズの判定は、例えば標準サイズのフィルム画像２２Ａでは画像記録範囲内となり、パノラマサイズのフィルム画像２２Ｂでは画像記録範囲外となる所定部分２２Ｃ（図９（Ａ）参照）の濃度や色味が、素抜けに相当する濃度や色味であるか否かに基づいて判定することができる。
【００７４】
また、本願出願人が特開平８−３０４９３２号公報、特開平８−３０４９３３号公報、特開平８−３０４９３４号公報、特開平８−３０４９３５号公報で提案しているように、プレスキャン画像データが表す各画素毎の濃度値に基づき、各画素毎にフィルム幅方向に沿った濃度変化値を各々演算し、各画素のフィルム幅方向に沿った濃度変化値をフィルム長手方向に沿って並ぶ複数の画素列毎に積算し、積算結果に基づいてフィルム画像のサイズ（アスペクト比）を判定したり、濃度ヒストグラムから閾値を定めて画像を二値化し、画像中の各領域における画像の存在率に基づいて判定したり、所定部分２２Ｃにおける濃度変化値の分散及び平均値に基づいて判定したり、上記の手法を組み合わせて判定するようにしてもよい。なお、このステップ４０６は本発明の判定手段に対応している。
【００７５】
次のステップ４０８では、ステップ４０６の判定結果に基づきフィルム画像がパノラマサイズか否か判定する。判定が否定された場合（すなわち、入力されたプレスキャン画像データが表すフィルム画像が標準アスペクト比の場合）にはステップ４１０へ移行し、ステップ４１０以降でセットアップ演算を行う。
【００７６】
すなわち、ステップ４１０では入力されたプレスキャン画像データに基づき、フィルム画像の平均濃度等の特徴量を求め、求めた特徴量に基づいて同一のフィルム画像に対してファインスキャンを行う際の読取条件を演算し、コマ番号と対応させてＲＡＭ１４８等に記憶する。
【００７７】
次のステップ４１２では、入力されたプレスキャン画像データに基づいて、フィルム画像の撮影時の露光量、撮影光源種やその他の特徴量を求め、求めた特徴量に基づいて、同一のフィルム画像に対してファインスキャンを行うことで得られるファインスキャン画像データに対する画像処理の処理条件を演算する。また、順次入力されるプレスキャン画像データから求まる特徴量を順次比較して類似のシーンを撮影したフィルム画像のデータか否かを判定し、類似のシーンを撮影したフィルム画像については同一又は近似した処理条件となるように処理条件を演算する。そして、処理条件を演算すると、演算した処理条件をコマ番号と対応させてＲＡＭ１４８に記憶した後にステップ４０２に戻る。
【００７８】
このように、プレスキャン画像データの入力が始まると、図１１にも示すようにセットアップ演算が開始される。なお、上記のステップ４１０、４１２は本発明の決定手段に対応している。
【００７９】
一方、このプレスキャンでは、マスク２９２が標準サイズのフィルム画像２２Ａに対応する遮光範囲となっている状態で読み取りを行っているので、入力されたプレスキャン画像データが表すフィルム画像がパノラマサイズの場合（すなわち、前記フィルム画像が非標準アスペクト比の場合）には、入力されたプレスキャン画像データの精度が低いと判断できる。このため、ステップ４０８の判定が否定された場合には、ステップ４１４において、パノラマサイズと判定されたフィルム画像のコマ番号のみを記憶し、ステップ４０２に戻る。
【００８０】
１本の写真フィルム２２に記録されている全てのフィルム画像のプレスキャン画像データが入力され、入力された全てのプレスキャン画像データに対して上述の処理が行われると、ステップ４０４の判定が肯定されてステップ４１６へ移行し、１本の写真フィルム２２の中に、パノラマサイズのフィルム画像が有ったか否か判定する。判定が否定された場合にはステップ４２８へ移行し、先に演算してＲＡＭ１４８に記憶した各フィルム画像に対するファインスキャン時の読取条件をラインＣＣＤスキャナ１４に対して通知し、ラインＣＣＤスキャナ１４及びフィルムキャリア３８に対し、ファインスキャンの実行を指示する。
【００８１】
この場合、図１１（Ａ）に示すように、フィルムキャリア３８は写真フィルム２２をファインスキャンに適した一定の搬送速度で所定方向と逆の方向（便宜的に復路方向という）に搬送する。また、ラインＣＣＤスキャナ１４では直ちに、通知された読取条件に従って、ラインＣＣＤ１１６により往路方向末尾側から順にフィルム画像を読み取り（コマ番号ｎ，ｎ−１，…，１の順に読み取る）、得られた画像データをファインスキャン画像データとして画像処理部１６に出力する。
【００８２】
また、次のステップ４３０では、先に演算してＲＡＭ１４８に記憶した各フィルム画像のファインスキャン画像データに対する画像処理の処理条件をイメージプロセッサ部１３６のイメージプロセッサ１４０へ通知する。これにより、ラインＣＣＤスキャナ１４から画像処理部１６に入力された各フィルム画像のファインスキャン画像データは、イメージプロセッサ部１３６において、オートセットアップエンジン１４４で各フィルム画像毎に演算された処理条件に応じた画像処理が施されて出力される。
【００８３】
一方、ステップ４１６の判定が肯定された場合（１本の写真フィルム２２の中にパノラマサイズのフィルム画像が有った場合）には、ステップ４１８へ移行し、パノラマサイズのフィルム画像のコマ番号（先のステップ４１４で記憶したコマ番号）をラインＣＣＤスキャナ１４に通知し、ラインＣＣＤスキャナ１４及びフィルムキャリア３８に対し、パノラマサイズのフィルム画像に対する再度のプレスキャンの実行を指示する。
【００８４】
この場合、図１１（Ｂ）に示すように、フィルムキャリア３８は写真フィルム２２を一旦復路方向に搬送した後に、プレスキャンに適した一定の搬送速度で写真フィルム２２を往路方向に搬送する。また、写真フィルム２２が復路方向に搬送されている間に、マスク２９２による遮光範囲は、パノラマサイズのフィルム画像２２Ｂに対応する範囲（図９（Ｃ）参照）に切替わる。また、写真フィルム２２の往路方向への搬送が開始されると、ラインＣＣＤスキャナ１４では、通知されたコマ番号に対応するフィルム画像（パノラマサイズのフィルム画像）のみをラインＣＣＤ１１６によって読み取り（再プレスキャン）、得られた画像データを再プレスキャン画像データとして画像処理部１６に出力する。
【００８５】
なお、このときの読取条件は、全てのフィルム画像に対してプレスキャンを行った際の読取条件（ステップ４００で通知した読取条件）と同一であってもよいし、パノラマサイズのフィルム画像用に設定した読取条件であってもよい。
【００８６】
次のステップ４２０では、再プレスキャン画像データが入力されたか否か判定する。前記判定が否定された場合にはステップ４２２へ移行し、先にコマ番号を通知した全てのフィルム画像の再プレスキャン画像データが入力されたか否か判定する。この判定も否定された場合にはステップ４２０に戻り、ステップ４２０、４２２の判定を繰り返す。
【００８７】
再プレスキャン画像データが入力されるとステップ４２０の判定が肯定され、ステップ４２４以降でパノラマサイズのフィルム画像に対するセットアップ演算を行う。すなわち、ステップ４２４では、入力された再プレスキャン画像データに基づき、同一のフィルム画像に対してファインスキャンを行う際の読取条件を演算し、コマ番号と対応させてＲＡＭ１４８等に記憶する。ステップ４２６では、入力された再プレスキャン画像データに基づいて、同一のフィルム画像に対してファインスキャンを行うことで得られるファインスキャン画像データに対する画像処理の処理条件を演算し、演算した処理条件をコマ番号と対応させてＲＡＭ１４８に記憶した後にステップ４２０に戻る。
【００８８】
なお、このステップ４２４、４２６も本発明の決定手段に対応している。また、ステップ４００、４１６、４１８、４２８、４３０は、本発明の制御手段に対応している。
【００８９】
パノラマサイズのフィルム画像に対する再プレスキャンでは、前述のように、マスク２９２による遮光範囲をパノラマサイズのフィルム画像２２Ｂに対応する範囲に切替えているので、パノラマサイズのフィルム画像を精度良く読み取ることができ、再プレスキャンによって得られた再プレスキャン画像データに基づいて、適正な読取条件及び画像処理の処理条件を得ることができる。
【００９０】
全てのパノラマサイズのフィルム画像の再プレスキャン画像データが入力されて上述のセットアップ演算が行われると、ステップ４２２の判定が肯定されてステップ４２８へ移行し、前述のように各フィルム画像に対するファインスキャンが行われる。但し、この場合、写真フィルム２２には標準サイズのフィルム画像とパノラマサイズのフィルム画像とが混在しているので、ステップ４０６で判定した各フィルム画像のサイズに応じてマスク２９２による遮光範囲を適宜切替えながら、各フィルム画像に対するファインスキャンが行われる。
【００９１】
なお、上記では１本の写真フィルム２２に記録された全てのフィルム画像に対してプレスキャンを行った後に、前記写真フィルム２２の中にパノラマサイズに相当するアスペクト比のフィルム画像が有った場合には、写真フィルム２２を一旦復路方向に搬送した後に、写真フィルム２２を往路方向に搬送しながらパノラマサイズに相当するアスペクト比のフィルム画像に対する再プレスキャンを行うようにしていたが（図１１（Ｂ）参照）、写真フィルム２２を往路方向に搬送しながら再プレスキャンを行うようにしてもよい。この場合、各フィルム画像に対するファインスキャンは、再プレスキャン終了後、写真フィルム２２を往路方向に搬送しながら行って、ファインスキャンが終了した後に写真フィルム２２を復路方向に搬送するようにしてもよいし（図１１（Ｃ）参照）、再プレスキャン終了後、写真フィルム２２を一旦往路方向に搬送した後に、写真フィルム２２を復路方向に搬送しながら行ってもよい。
【００９２】
また、上記では非標準アスペクト比として、パノラマサイズに相当するアスペクト比を例に説明したが、ハイビジョンサイズに相当するアスペクト比や、その他のアスペクト比であってもよい。また、画像が記録されている記録媒体として１３５サイズの写真フィルムを例に説明したが、本発明は、異なるアスペクト比の画像が混在記録されている記録媒体であれば、他のサイズの写真フィルムであっても、写真フィルム以外の記録媒体であっても適用可能である。
【００９３】
また、上記では１３５サイズフィルム画像読取処理をオートセットアップエンジン１４４で行う場合について説明したが、これに限定されるものではなく、オートセットアップエンジン１４４では少なくともセットアップ演算を行い、他の処理については、パーソナルコンピュータ１５８単独で行うようにしてもよいし、パーソナルコンピュータ１５８とオートセットアップエンジン１４４とで分担して行うようにしてもよい。
【００９４】
また、上記ではプレスキャン又は再プレスキャンによって得られた画像データに基づいて、ファインスキャンを行う際の読取条件及びファインスキャン画像データに対する画像処理の処理条件を各々演算するようにしていたが、これに限定されるものではなく、本発明は、読取条件及び画像処理の処理条件の何れか一方のみ演算することも権利範囲に含んでいる。
【００９５】
更に、上記では本発明をラインＣＣＤスキャナ１４におけるフィルム画像の読み取りに適用した場合を説明したが、これに限定されるものではなく、エリアＣＣＤスキャナ１２におけるフィルム画像の読み取りに本発明を適用してもよいことは言うまでもない。
【００９６】
また、上記では同一のＣＣＤでプレスキャン及びファインスキャンを行っていたが、これに限定されるものではなく、プレスキャン専用のＣＣＤ、ファインスキャン専用のＣＣＤを各々に設けてもよい。
【００９７】
また、上記ではフィルム画像の読み取りを行うスキャナとして、読取対象の写真フィルムのサイズが異なるエリアＣＣＤスキャナ１２及びラインＣＣＤスキャナ１４を設けていたが、これに代えて、各種サイズの写真フィルムのフィルム画像を全て読み取り可能なスキャナ（ラインスキャナが好適である）を設けてもよい。
【００９８】
以上、本発明の実施形態について説明したが、上記の実施形態は特許請求の範囲に記載した事項の実施態様以外に、以下に記載した事項の実施態様を含んでいる。
【００９９】
（１）前記複数の画像は、長尺状の写真フィルムに順に記録されたフィルム画像であり、前記写真フィルムを搬送する搬送手段を更に備え、前記制御手段は、前記搬送手段により写真フィルムを往復搬送させて前記複数の画像の各々に対する予備読み取り及び本読み取りを行わせると共に、アスペクト比が非標準と判定された画像があった場合には、前記搬送手段による写真フィルムの搬送を１往復分増加させて、前記読取手段による前記非標準アスペクト比の画像の予備読み取りを再度行わせることを特徴とする請求項１記載の画像読取装置。
【０１００】
【発明の効果】
以上説明したように請求項１記載の発明は、複数の画像の各々に対し読取手段によって予備読み取りを順に行わせた後に、判定手段によってアスペクト比が非標準と判定された画像があれば、非標準アスペクト比の画像について読取手段による予備読み取りを再度行わせ、該予備読み取りを再度行った結果に基づき決定手段によって非標準アスペクト比の画像の読取条件及び画像処理の処理条件を決定させた後に、複数の画像の各々に対し読取手段によって本読み取りを順に行わせるので、読取対象の画像にアスペクト比の異なる画像が混在していたとしても、各画像を精度良く読み取ることができる、という優れた効果を有する。
【０１０１】
請求項２記載の発明は、請求項１の発明において、写真フィルム上のフィルム画像記録範囲外を遮光する遮光手段を設け、アスペクト比が非標準と判定されたフィルム画像があった場合には、非標準アスペクト比のフィルム画像について読取手段による予備読み取りを再度行わせる際に、遮光手段による遮光範囲を非標準アスペクト比に対応する範囲に切り替えるようにしたので、上記効果に加え、非標準アスペクト比のフィルム画像についての再度の予備読み取りを、より精度良く行うことができる、という効果を有する。
【０１０２】
請求項３記載の発明は、複数の画像の各々に対し予備読み取りを順に行うと共に、予備読み取りを行った結果に基づいて各画像のアスペクト比を各々判定し、アスペクト比が非標準と判定した画像があれば該非標準アスペクト比の画像の予備読み取りを再度行い、該予備読み取りを再度行った結果に基づき非標準アスペクト比の画像の読取条件及び画像処理の処理条件を決定した後に、複数の画像の各々に対し本読み取りを順に行うので、読取対象の画像にアスペクト比の異なる画像が混在していたとしても、各画像を精度良く読み取ることができる、という優れた効果を有する。
【図面の簡単な説明】
【図１】本実施形態に係るディジタルラボシステムの概略ブロック図である。
【図２】エリアＣＣＤスキャナの光学系の概略構成図である。
【図３】エリアＣＣＤスキャナの電気系の概略構成を示すブロック図である。
【図４】ラインＣＣＤスキャナの光学系の概略構成図である。
【図５】画像処理部の概略構成を示すブロック図である。
【図６】レーザプリンタ部の露光部の光学系の概略構成図である。
【図７】レーザプリンタ部及びプロセッサ部の電気系の概略構成を示すブロック図である。
【図８】フィルムキャリアの概略構成図である。
【図９】（Ａ）は標準サイズのフィルム画像とパノラマサイズのフィルム画像が混在記録されている１３５サイズ写真フィルムの平面図、マスクの遮光範囲を、（Ｂ）は標準サイズのフィルム画像に対応する範囲に、（Ｃ）はパノラマサイズのフィルム画像に対応する範囲に、各々切替えた状態を示す平面図である。
【図１０】１３５サイズフィルム画像読み取り処理を示すフローチャートである。
【図１１】（Ａ）はパノラマサイズのフィルム画像が無い場合、（Ｂ）及び（Ｃ）はパノラマサイズのフィルム画像が有る場合の、写真フィルムの搬送、フィルム画像のスキャン、セットアップ演算等のタイミングを各々示すタイミングチャートである。
【符号の説明】
１２    エリアＣＣＤスキャナ
１４    ラインＣＣＤスキャナ
１６    画像処理部
２２    写真フィルム
３８    フィルムキャリア
４２    エリアＣＣＤ
１１６    ラインＣＣＤ
１４４    オートセットアップエンジン
２９２    マスク
【図１】
0003784924.tif 000002
【図２】
0003784924.tif 000003
【図３】
0003784924.tif 000004
【図４】
0003784924.tif 000005
【図５】
0003784924.tif 000006
【図６】
0003784924.tif 000007
【図７】
0003784924.tif 000008
【図８】
0003784924.tif 000009
【図９】
0003784924.tif 000010
【図１０】
0003784924.tif 000011
【図１１】
0003784924.tif 000012